(57)【特許請求の範囲】
【請求項１】
基材の中央に設けられた折目線を介して、封筒本体片と往信用紙片とが折り曲げ可能に連接され、前記封筒本体片上には、略同じ大きさの返信用紙片が重ねられ、上端縁、側端縁、下端縁が接着されて送付物収納部が形成された往復封筒であって、前記返信用紙片の上面には返信宛名記入部が設けられ前記折目線側の端部には前記折目線に沿って粘着剤層が形成されるとともに該粘着剤層を覆って剥離紙が貼着され、前記往信用紙片には前記折目線にて二つ折りされ前記返信用紙片に形成された前記粘着剤層の前記側端縁側と対向する位置の近傍に前記折目線に沿って一本の返信封緘用切取線が設けられ、前記往信用紙片の上面には、該返信封緘用切取線の近傍から前記折目線と対向する側端縁にまで達する領域に剥離可能に接着される弱粘着剤層が形成されるとともに該弱粘着剤層を覆って剥離紙が貼着されており、前記往信用紙片が備える切取手段は前記返信封緘用切取線のみであることを特徴とする往復封筒。
【請求項２】
前記返信用紙片の前記側端縁に直交する方向の長さが前記封筒本体片の前記側端縁と前記折目線との長さよりも短くされ、前記側端縁で前記返信用紙片と前記封筒本体片とを揃えて重ねられ前記送付物収納部が形成されていることを特徴とする請求項１記載の往復封筒。
【請求項３】
前記往信用紙片の前記折目線と該折目線と対向する側端縁との長さが前記封筒本体片の前記側端縁と前記折目線との長さよりも短くされていることを特徴とする請求項１又は２に記載の往復封筒。
【請求項４】
前記往信用紙片の下面には、往信用宛名が印字可能であることを特徴とする請求項１〜３のいずれかに記載の往復封筒。
【発明の詳細な説明】
【技術分野】
【０００１】
本発明は、郵便やメール便等で配送される往復封筒に関し、特に一つの封筒で往信と返信とに使用することができる往復封筒に関するものである。
【背景技術】
【０００２】
従来、封筒で返信を得たい場合、往信に使用される封筒の中に返信用として別体の返信封筒を同封して郵便やメール便等で配送される方法が広く行なわれている。この場合、通常、受信側の返信の手間や負担を軽減するために返信封筒には送信側の住所、社名、部署名等の返信先が予め記載されている。
しかし、往信用封筒を同封するには手間がかかり、特に往信用、返信用それぞれの封筒が同規格、同形状のものを使用する場合には、返信用封筒を同封が可能な大きさに折りたたむ必要があり煩雑なものであった。
このような返信用封筒を同封する煩わしさを解消した往復封筒として、有底袋体の封筒形状となり、裏返して使用することで往復使用できる往復封筒が開示されている（例えば、特許文献１参照）。
【０００３】
しかしながら、上記の特許文献１に開示された往復封筒では、封筒を裏返す際に、封筒に皺が発生することがあるという問題がある。さらには封筒に紙を用いた場合、封筒を裏返す際に破れが発生することがあるという問題がある。
【特許文献１】特開２００６−２８２２１６号公報
【発明の開示】
【発明が解決しようとする課題】
【０００４】
本発明は、上記のような従来の問題点に鑑み、一つの封筒で往信と返信とに使用することができる往復封筒を提供することを目的とするものである。
【課題を解決するための手段】
【０００５】
上記課題を解決するために、本発明の往復封筒は、基材の中央に設けられた折目線を介して、封筒本体片と往信用紙片とが折り曲げ可能に連接され、前記封筒本体片上には、略同じ大きさの返信用紙片が重ねられ、上端縁、側端縁、下端縁が接着されて送付物収納部が形成された往復封筒であって、前記返信用紙片の上面には返信宛名記入部が設けられ前記折目線側の端部には前記折目線に沿って粘着剤層が形成されるとともに該粘着剤層を覆って剥離紙が貼着され、前記往信用紙片には前記折目線にて二つ折りされ前記返信用紙片に形成された前記粘着剤層の前記側端縁側と対向する位置の近傍に前記折目線に沿って一本の返信封緘用切取線が設けられ、前記往信用紙片の上面には、該返信封緘用切取線の近傍から前記折目線と対向する側端縁にまで達する領域に剥離可能に接着される弱粘着剤層が形成されるとともに該弱粘着剤層を覆って剥離紙が貼着されており、前記往信用紙片が備える切取手段は前記返信封緘用切取線のみであることを特徴とするものである。
【０００６】
また、請求項２に記載の本発明は、請求項１記載の往復封筒において、前記返信用紙片の前記側端縁に直交する方向の長さが前記封筒本体片の前記側端縁と前記折目線との長さよりも短くされ、前記側端縁で前記返信用紙片と前記封筒本体片とを揃えて重ねられ前記送付物収納部が形成されていることを特徴とするものである。
【０００７】
また、請求項３に記載の本発明は、請求項１又は２に記載の往復封筒において、前記往信用紙片の前記折目線と該折目線と対向する側端縁との長さが前記封筒本体片の前記側端縁と前記折目線との長さよりも短くされていることを特徴とするものである。
【０００８】
また、請求項４に記載の往復封筒は、請求項１〜３のいずれかに記載の往復封筒において、前記往信用紙片の下面には、往信用宛名が印字可能であることを特徴とするものである。
【発明の効果】
【０００９】
本発明の往復封筒は、基材の中央に設けられた折目線を介して、封筒本体片と往信用紙片とが折り曲げ可能に連接され、封筒本体片上には、略同じ大きさの返信用紙片が重ねられ、上端縁、側端縁、下端縁が接着されて送付物収納部が形成された往復封筒であって、返信用紙片の上面には返信宛名記入部が設けられ折目線側の端部には折目線に沿って粘着剤層が形成されるとともに該粘着剤層を覆って剥離紙が貼着され、往信用紙片には折目線にて二つ折りされ返信用紙片に形成された粘着剤層の側端縁側と対向する位置の近傍に折目線に沿って一本の返信封緘用切取線が設けられ、往信用紙片の上面には、該返信封緘用切取線の近傍から折目線と対向する側端縁にまで達する領域に剥離可能に接着される弱粘着剤層が形成されるとともに該弱粘着剤層を覆って剥離紙が貼着されており、往信用紙片が備える切取手段は返信封緘用切取線のみである構成にすることによって、送信側は往信用紙片に形成された弱粘着剤層を返信用紙片に重ねて圧着することにより容易に封緘でき、受信側（返信側）は弱粘着剤層が剥離可能なために往信用紙片を返信用紙片より再剥離でき、送付物を取り出すことができる。さらに受信側は、返信に際しては返信封緘用切取線で往信用紙片を切取り、残った往信用紙片の一部を返信用の封緘片として使用でき返信用紙片の粘着剤層に重ねて圧着することにより封緘でき容易に返信封筒とできる。また、送信側にとっては、返信封筒を別途同封する手間が省けると共に返信封筒が不要になり経済的である。さらには一つの封筒で往復の使用ができ、封筒の基材の使用量を削減でき、省資源化が図れる。
【００１０】
また、請求項２記載の本発明は、返信用紙片の側端縁に直交する方向の長さが封筒本体片の側端縁と折目線との長さよりも短くされ、側端縁で返信用紙片と封筒本体片とを揃えて重ねられ送付物収納部が形成されていることにより、受信側の受取人は送付物収納部に収納された送付物を取り出しやすいという効果がある。
【００１１】
また、請求項３記載の本発明は、往信用紙片の折目線と該折目線と対向する側端縁との長さが封筒本体片の側端縁と折目線との長さよりも短くされていることにより受信側の受取人は往信用紙片の隅部より容易に往信用紙片を再剥離して開封することができるという効果を有する。
【発明を実施するための最良の形態】
【００１２】
以下図面を用いて、本発明の実施形態について説明する。図１は本発明の往復封筒の一実施形態について説明するための斜視図、図２は本発明の表面図と裏面図、図３は図２のＸ−Ｘ線断面図、図４は本発明の往復封筒の使用方法を示す説明図である。図中の符号１は往復封筒、２は基材、３は折目線、４は封筒本体片、５は往信用紙片、６は返信用紙片、７は接着剤、８は送付物収納部、９は弱粘着剤層、１０は剥離紙、１１は返信宛名記入部、１２は粘着剤層、１３は剥離紙、１４は返信封緘用切取線、１５は往信宛名記入部、１６は封緘片、ｄは下端縁、ｓ、ｓ’は側端縁、ｕは上端縁をそれぞれ示す。
【００１３】
まず、図１から図３を参照しながら本発明の往復封筒について説明する。図１は本発明の往復封筒の往信用紙片から見た斜視図である。図２（ａ）は返信用紙片側から見た平面図、（ｂ）は封筒本体片側から見た平面図であり、以下、図２（ａ）を表面図、図２（ｂ）を裏面図と称することとする。図３は図２（ａ）のＸ−Ｘ線断面図である。図１〜３に示すように本発明の往復封筒１は、基材２の中央に設けられた折目線３を介して、封筒本体片４と往信用紙片５とが折り曲げ可能に連接され、封筒本体片４上には、略同じ大きさの返信用紙片６が重ねられ、上端縁ｕ、側端縁ｓ、下端縁ｄが接着剤７で接着されて送付物収納部８が形成されている。返信用紙片６の上面には返信宛名記入部１１が設けられ返信側の住所及び宛名が印刷されており、折目線３側の端部には折目線３に沿って帯状に粘着剤層１２が形成されるとともに粘着剤層１２を覆って帯状の剥離紙１３が貼着され、往信用紙片５には折目線３にて二つ折りされ返信用紙片６に形成された粘着剤層１２の側端縁ｓ側と対向する位置の近傍に折目線３に沿って返信封緘用切取線１４が設けられている。さらに往信用紙片５の上面には、返信封緘用切取線１４と折目線３と対向する側端縁ｓ’との間の領域に剥離可能に接着される弱粘着剤層９が形成されるとともに該弱粘着剤層９を覆って剥離紙１０が貼着されている。
【００１４】
また、返信用紙片６の側端縁ｓに直交する方向の長さが封筒本体片４の側端縁ｓと折目線３との長さよりも短くされ、側端縁ｓで返信用紙片６と封筒本体片４とを揃えて重ねられ送付物収納部８が形成されている。このようにすることにより、受信側の受取人は送付物収納部に収納された送付物を取り出しやすいものとなる。さらに、往信用紙片５の折目線３と該折目線３と対向する側端縁ｓ’との長さが封筒本体片４の側端縁ｓと折目線３との長さよりも短くされている。往信用紙片５の下面（外面）には図２（ｂ）に示すように往信宛名記入部１５が設けられ印字可能となっており、受信側の往信用宛名（住所及び宛名等）がプリンター等により印字されている。
【００１５】
次に、図３を参照しながら本発明の往復封筒１に使用される材料について説明する。まず、基材２及び返信用紙片６には上質紙、カード紙、コート紙、クレーコート紙、クラフト紙、合成紙等が使用できる。剥離紙１０、１３には上質紙、クラフト紙、コート紙、グラシン紙等が使用でき、さらに、少なくとも弱粘着剤層９又は粘着剤層１２と接する側の面にシリコン系あるいはアクリル系樹脂等が印刷あるいはコートされてなる剥離層が設けられている。また、弱粘着剤層９に用いる弱粘着剤には再剥離可能な再剥離再貼付粘着剤が用いられ、該再剥離再貼付粘着剤には、密着面の密着及び再剥離を容易にするように調整されており、バインダー成分と粘着性微球成分等が混合されている。バインダー成分は、アクリルエマルジョン型粘着剤等が用いられ、粘着性微球成分には、微粒子状でメタアクリル酸エステル等の材質が使用される。粘着剤層１２に用いる粘着剤には、アクリル系樹脂、ゴム系樹脂等を用いた一般の粘着剤若しくは上記の再剥離再貼付粘着剤等を使用できる。接着剤７には、酢酸ビニル系や合成ゴム系等の合成樹脂エマルジョンタイプ、あるいはポバール、デキストリン、にかわ等の再湿タイプを用いることができる。
【００１６】
次に図３、図４を参照しながら本発明の往復封筒１の使用方法を説明する。図４は、図２のＸ−Ｘ線断面に相当する断面図として本発明の往復封筒の使用方法を説明する図である。まず、図３に示すように、送信側は例えばカタログ、チラシ、申込書等の送付物を送付物収納部８に収納し、往信用紙片５の剥離紙１０を剥離して弱粘着剤層９を露出させ、折目線３で二つ折りして返信用紙片６に重ねて図４（ａ）に示すように圧着することにより封緘する。往信用紙片５の外面の往信宛名記入部１５（図２参照）に印字されていることを確認後、投函する。
【００１７】
受信側は弱粘着剤層９が剥離可能なために往信用紙片５を返信用紙片６より再剥離でき、送付物収納部８より送付物を取り出すことができる。また、往信用紙片５の折目線３から側端縁ｓ’までの長さが封筒本体片４の側端縁ｓから折目線３までの長さよりも短くされているために受信側の受取人は往信用紙片５の隅部より容易に往信用紙片５を再剥離して開封することができる。
【００１８】
その後、受信側は、図４（ｂ）に示すように例えば、申込書に必要事項を記入して再び、送付物収納部８に収納し、返信封緘用切取線１４で往信用紙片５を切取り、残った往信用紙片の一部を返信用の封緘片１６とし、返信用紙片６の上面の剥離紙１３を剥離して粘着剤層１２を露出させ、封緘片１６を折目線３で折り返して図４（ｃ）に示すように粘着剤層１２に重ねて圧着することにより封緘でき容易に返信封筒とできる。返信用紙片６には返信宛名記入部１１に予め返信側の住所及び宛名が印刷されているために、そのまま投函すればよい。以上のように送信側にとっては、返信封筒を別途同封する手間が省けると共に返信封筒が不要になり経済的である。さらには一つの封筒で往復の使用ができ、封筒の基材の使用量を削減でき、省資源化が図れるものである。
【産業上の利用可能性】
【００１９】
本発明の往復封筒は、通信販売申込書等の親展通知情報を伴う郵便、メール便等による通信媒体に利用できる。
【図面の簡単な説明】
【００２０】
【図１】本発明の往復封筒の一実施形態について説明するための斜視図である。
【図２】本発明の表面図と裏面図である。
【図３】図２のＸ−Ｘ線断面図である。
【図４】本発明の往復封筒の使用方法を示す説明図である。
【符号の説明】
【００２１】
１                                      往復封筒
２                                      基材
３                                      折目線
４                                      封筒本体片
５                                      往信用紙片
６                                      返信用紙片
７                                      接着剤
８                                      送付物収納部
９                                      弱粘着剤層
１０                                    剥離紙
１１                                    返信宛名記入部
１２                                    粘着剤層
１３                                    剥離紙
１４                                    返信封緘用切取線
１５                                    往信宛名記入部
１６                                    封緘片
ｄ                                      下端縁
ｓ、ｓ’                                側端縁
ｕ                                      上端縁
【図１】
0005181597.tif 000002
【図２】
0005181597.tif 000003
【図３】
0005181597.tif 000004
【図４】
0005181597.tif 000005